(57)【要約】【課題】筐体に配設される空冷機構において、フィルタを通過する前の外気中の鉄粉を除去することによりフィルタの寿命の長期化に貢献する筐体に配設される空冷機構を提供する。【解決手段】筐体２は、前部開閉蓋４に表示装置３、内部背面に電子部品７を搭載した基盤６、天井部上面２−１に配設された排気ファン８と支持パイプ５ａ、５ｂ、下部開口部９に配置されたコイルユニット１４、及びその上に配置されたフィルタ１５を備え、コイルユニット１４は、複数の保持部吸気口１６を有する下保持板１１、複数の保持部排気口１７を有する上保持板１２、保持部吸気口１６に流気路吸気口を連結され保持部排気口１７に流気路排気口を連結されて外気の流気路を形成する筒状体１３、及び筒状体１３の外周面に巻回され通電と遮断が可能なコイル２３を備えている。【選択図】図１
2014075559.tif 000002
【特許請求の範囲】
【請求項１】
筐体に配設される空冷機構において、
前記筐体に外気を取り入れる開口部と、
前記開口部からの外気を前記筐体の内部へ流入させる流気路と、
塵埃を集積するフィルタと、
前記筐体から内部の空気を前記筐体の外部へ排出する排気手段とを有し、
前記流気路は、鉄粉を除去する鉄粉除去手段を有する、
ことを特徴とする筐体に配設される空冷機構。
【請求項２】
前記鉄粉除去手段は、内部が空洞を形成する筒状体と、
該筒状体の外周に巻回され該筒状体に鉄粉を吸着させるコイルと、
を含み、前記筐体の開口部に取り付けられたコイルユニットと、
を有することを特徴とする請求項１記載の筐体に配設される空冷機構。
【請求項３】
前記鉄粉除去手段は、前記排気手段が停止すると、前記コイルユニットへの磁気化も停止する回路を有する、
ことを特徴とする請求項１または請求項２に記載の筐体に配設される空冷機構。
【請求項４】
前記コイルユニットは、上部周囲を枠で囲まれ、該枠の内部には隣接する前記コイルユニットとの間に仕切り板を立設され、該仕切り板と前記枠の上に載置される形状で前記フィルタが配置されている、
ことを特徴とする請求項２に記載の筐体に配設される空冷機構。
【発明の詳細な説明】
【技術分野】
【０００１】
本発明は、鉄道の駅構内等に設置され列車の発着時刻や運行状況を表示する表示盤の筐体に配設される空冷機構に関する。
【背景技術】
【０００２】
従来、駅や空港等の構内には、列車や飛行機の発着の時刻や現在の運行状況等を利用客に報知するために、各所に表示盤が設置されている。空港では壁に埋め込み式の大型の表示盤が見受けられるが、駅の構内では利用客の通路に、利用客の頭上よりやや高い位置に横に２行程度の表示を行う表示盤が設置されている場合が多い。
【０００３】
表示盤は電子機器であるから種々の故障を起こすことがある。このような表示盤の故障後の確認試験を迅速に行うための保守試験機能を備えた案内表示盤の保守試験装置が提案されている。（例えば、特許文献１参照。）
【先行技術文献】
【特許文献】
【０００４】
【特許文献１】特開２０００−１３２７５１号公報
【発明の概要】
【発明が解決しようとする課題】
【０００５】
ところで、特許文献１では、故障後の表示動作確認を行うことは記載されているが、故障の種類や故障の原因についての記載は無い。通常、表示盤は、表示盤を構成する筐体の内部に配設されている制御装置で発光駆動される。
【０００６】
表示盤の表示には近年ではＬＥＤ（light emitting diode）等の発光素子が用いられる。ＬＥＤは消費電力が少ないとはいえ発熱する。ＬＥＤを発光駆動する制御装置も発熱する。したがって、表示盤を構成する筐体の内部を冷却する必要がある。
【０００７】
電子機器の冷却には空冷が用いられる。空冷はファンを用い、筐体の吸気口と排気口を介して、筐体の内部に外気を流通させる。ところで、制御装置は精密な電子機器であるから汚れを嫌う。制御装置の配線に粉塵等の汚れが付着すると短絡等の故障が発生する。
【０００８】
したがって、従来は表示盤の筐体内部にスポンジ状のフィルタを設け、吸気口から入ってきた外気がフィルタを通過する際に、外気に含まれる粉塵等をフィルタで濾過する構造として粉塵の流入を防止している。
【０００９】
ところが鉄道の駅構内の外気中の粉塵には、通常の塵埃の他に鉄粉が入り混じって浮遊している。鉄粉が多く浮遊する外気中に設置される鉄道駅構内向けの表示盤は、駅以外の他の場所に設置される表示盤と比較してフィルタの目詰まりが早く起きる傾向にあり、フィルタの清掃または交換の作業が頻繁に発生して非効率的であった。
【００１０】
本発明は、上記従来の課題を解決するものであって、鉄道の駅構内等に設置され表示盤の空冷構造においてフィルタを通過する前の外気中の鉄粉を除去することで表示盤のフィルタの目詰まりを軽減させてフィルタの寿命を長期化させる表示盤の空冷機構を提供することを目的とする。
【課題を解決するための手段】
【００１１】
上記課題を解決するために、本発明の筐体に配設される空冷機構は、筐体に配設される空冷機構において、上記筐体に外気を取り入れる開口部と、上記開口部からの外気を上記筐体の内部へ流入させる流気路と、塵埃を集積するフィルタと、上記筐体から内部の空気を上記筐体の外部へ排出する排気手段とを有し、上記流気路は、鉄粉を除去する鉄粉除去手段を有するように構成される。
【００１２】
上記筐体に配設される空冷機構において、例えば、上記鉄粉除去手段は、内部が空洞を形成する筒状体と、該筒状体の外周に巻回され該筒状体に鉄粉を吸着させるコイルと、を含み、上記筐体の開口部に取り付けられたコイルユニットと、を有することを特徴とする。
【００１３】
また、上記筐体に配設される空冷機構において、例えば、上記鉄粉除去手段は、上記排気手段が停止すると、上記コイルユニットへの磁気化も停止する回路を有する、ことを特徴とする。
【００１４】
また、上記筐体に配設される空冷機構において、例えば、上記コイルユニットは、上部周囲を枠で囲まれ、該枠の内部には隣接する上記コイルユニットとの間に仕切り板を立設され、該仕切り板と上記枠の上に載置される形状で上記フィルタが配置されている、ことを特徴とする。
【発明の効果】
【００１５】
本発明は、鉄道の駅構内等に設置され表示盤の空冷機構においてフィルタを通過する前の外気中の鉄粉を除去することによってフィルタの寿命の長期化に貢献する表示盤の筐体に配設される空冷機構を提供することができる。
【図面の簡単な説明】
【００１６】
【図１】(a)は本発明の実施例１に係る表示盤をその前部開閉蓋を開けてやや上方から見た斜視図、(b)は同じく前部開閉蓋を開けた表示盤をやや下から見た斜視図である。
【図２】実施例１に係る表示盤の筐体の開口部からコイルユニットとフィルタを取り外して示す分解斜視図である。
【図３】実施例１に係る表示盤のコイルユニットを形成する子ユニットをフィルタと共に示す図である。
【図４】実施例１に係る表示盤の排気ファンとコイルユニットのコイルを駆動する回路配線図である。
【図５】(a),(b)は実施例１に係る表示盤におけるコイルユニットの動作を説明する図である。
【発明を実施するための形態】
【００１７】
以下、本発明の実施の形態について、詳細に説明する。
【実施例１】
【００１８】
図１(a)は、本発明の実施例１に係る表示盤を、その前部開閉蓋を開けてやや上方から見た斜視図であり、同図(b)は同じく前部開閉蓋を開けた表示盤をやや下から見た斜視図である。
【００１９】
図１(a),(b)に示す表示盤１は、鉄道の駅構内などに配設される表示盤であり、筐体２と、表示装置３をほぼ全面に有する前部開閉蓋４を備えている。筐体２は、駅構内の不図示の天井から下方に延びだす二本の円筒状の支持部５（５ａ、５ｂ）によって上部を支持されている。
【００２０】
支持部５は、表示盤１の筐体２を支持するとともに、駅の中央管理部から配線される信号線や、電源盤から配線される電力線が挿通される挿通路を兼ねている。支持部５に挿通された配線は、支持部５の下端開口部５ａ−１、５ｂ−１から筐体２の内部に引き込まれ、内部背面の基板６に多数搭載されている表示駆動回路等の電子部品７に接続される。
【００２１】
また、筐体２の上面２−１には、二本の支持部５を挟んで中央部と両側部の３箇所に空冷用の排気ファン８が配設されている。この排気ファン８が稼働することにより筐体２の内部から内部部品により熱せられた温度の高い空気を筐体２の外部へ排出する。
【００２２】
排気ファン８は、排気手段の一例であり、これに限定されない。筐体２の底面２−２には大きな開口部９が形成されている。開口部９は、排気ファン８が稼働することにより、筐体２の開口部９から外気が取り入れられ、これにより、筐体２内部の熱冷却を行う。
【００２３】
開口部９には、下保持板１１、上保持板１２、及び複数の筒状体１３からなるコイルユニット１４、不図示のコイル２３が取り付けられている。
尚、ここでは、筒状体１３という表現については、円柱状で内部が空洞をもの以外に、内部が空洞状で空気が挿通できる、断面形状が、円以外のものも含まれる。例えば、断面形状が楕円や多角形やその他の形状も含まれている。
【００２４】
このコイルユニット１４の上部には、詳しくは後述する枠１８と枠１８内部の仕切り板１９が配置され、その枠１８と仕切り板１９の上に板状のスポンジ体からなるフィルタ１５が配置されている。上記の筒状体１３は、排気ファン８によって筐体２の下面から流入しフィルタ１５を通り筐体２の上方に排出される外気の流気路を形成している。
【００２５】
つまり、筒状体１３の下部開口は流気路吸気口を形成し、上部開口は流気路排気口を形成している。そして、図１(b)に示すように、下保持板１１は等間隔で形成された複数の保持部吸気口１６を有し、この保持部吸気口１６に筒状体１３の流気路吸気口が連結されている。
【００２６】
図２は、筐体２の開口部９からコイルユニット１４とフィルタ１５を取り外して示す分解斜視図である。図２に示すように、上保持板１２は等間隔で形成された複数の保持部排気口１７を有し、この保持部排気口１７に筒状体１３の流気路排気口が連結されている。
【００２７】
この上保持板１２の周囲には枠１８が張り巡らされている。枠１８の内部には、一方向に直列に配置されて並ぶ保持部排気口１７の列と列の間に仕切り板１９が配置されている。これらの仕切り板１９と枠１８の上に載る形でフィルタ１５が取り付けられる。
【００２８】
図３は上記のコイルユニット１４を形成する子ユニットをフィルタと共に示す図である。図３に示すように、子ユニット２０は、子下保持板２１、子上保持板２２、子下保持板２１と子上保持板２２との間において直列に配置された筒状体１３、筒状体１３の外周に巻回されたコイル２３からなる。
【００２９】
なお、図３には、図示を簡略にするため、コイル２３を１個の筒状体１３にのみ巻回した状態を示しているが、実際にはコイル２３は全ての筒状体１３に巻回されている。前述した図１(a),(b)及び図２の場合も同様である。
【００３０】
つまり、図１(a),(b)及び図２に示したコイルユニット１４は、図３に示す子ユニット２０を子ユニット２０の短手方向に複数個密に並べて配置してなる親ユニットである。なお図１(a),(b)と図２に示す下保持板１１、上保持板１２は、親ユニット化した後の子ユニット２０の子下保持板２１、子上保持板２２を横に並べたものを示している。
【００３１】
なお、図３には、フィルタ１５を子ユニット２０と同一面積の板状スポンジで示しているが、子ユニット２０を並べて親ユニット化した後、図１(a),(b)と図２に示しように枠１８と仕切り板１９を取り付け、その上に大きな一枚のフィルタ１５を取り付けるようにしてもよい。
【００３２】
図４は、表示盤１の排気ファン８とコイルユニット１４のコイル２３を駆動する回路配線図である。なお、図４の右方の構成において図１ないし図３に示した機能構成と同一の機能構成の部分には図１ないし図３と同一の番号を付与して示している。
【００３３】
図４に示すように、中央制御部の出力端子台２５には交流１００Ｖの２本の電源線２６と１本のＦＧ（filament ground）線２７が接続されている。ＦＧ線２７の出力端子台２５から先はとノイズフィルタ２８に接続されている。
【００３４】
２本の電源線２６の出力端子台２５から先は、それぞれブレーカ３３を直列に接続されてノイズフィルタ２８を通過し、更にその先は、それぞれヒューズ２９を直列に接続され、更にその先は、表示盤１の入力端子台（筐体２の上面２−１、支持部５ａ、５ｂ）に接続されている。
【００３５】
表示盤１の入力端子台から表示盤１の中に入り込んだ２本の電源線２６は最も手前で二方に分岐され、一方の分岐線は表示装置３の電源部に配線される。そして他方の分岐線は電源ユニット３０を介して直流電源に変換された後、複数の排気ファン８と複数のコイル２３にそれぞれ接続される。
【００３６】
図５(a),(b)は、上記構成の表示盤１におけるコイルユニット１４の動作を説明する図である。なお、同図(a),(b)には、見やすいように筒状体１３とコイル２３を１個のみ示している。また、図５(a)はブレーカ３３が閉じられ、排気ファン８とコイル２３に通電されている状態を示している。
【００３７】
コイル２３の上部引き出し端子２３ａには直流電源のプラス側が接続され、コイル２３の下部引き出し端子２３ｂには直流電源のマイナス側が接続されている。この通電状態でコイル２３の上方がＮ極、下方がＳ極の電磁石になるように、コイル２３の巻き付け方向を決めている。尚、Ｎ極、Ｓ極の位置関係は逆であってもよい。これにより、通電中はコイルの電流の影響により、筒状体１３が磁気化されることになる。
【００３８】
コイル２３に通電されると同時に排気ファン８が駆動されるので、表示盤１の下方の外気は、矢印ａ、ｂで示すように、下保持板１１の保持部吸気口１６つまり筒状体１３の流気路吸気口から吸い込まれ、上保持板１２の保持部排気口１７つまり筒状体１３の流気路排気口からから出て更にフィルタ１５を通過する。
【００３９】
このとき、外気中に浮遊する鉄粉３１は、フィルタ１５に届く前に吸着鉄粉３１ａのように、電磁石となっているコイル２３下方のＳ極側に吸着される。そして、鉄粉３１以外の塵埃３２は、筒状体１３内を通過して吸着塵埃３２ａのようにフィルタ１５に吸着される。
【００４０】
図２に示したように、筒状体１３の流気路排気口からフィルタ１５までの間は枠１８と仕切り板１９で子ユニット２０（図３参照）ごとに仕切られているので、鉄粉３１を除去された外気は筒状体１３の流気路排気口から乱気流を引き起こすことなく効率よく直接フィルタ１５へと導かれる。
【００４１】
空冷が行きわたって、表示盤１の内部が一定温度以下になると、通電が停止される。排気ファン８が停止し、外気の流入が止まる。フィルタ１５に吸着された吸着塵埃３２ａはそのままフィルタ１５に吸着されている。
【００４２】
一方、吸着鉄粉３１ａは、通電の停止でコイル２３の電磁石機能が消滅するので、矢印ｃ、ｄに示すように、コイル３２から下方に一団となって脱落する。表示盤１の下方に受け皿などを設置しておくと、脱落した吸着鉄粉３１ａを受け取って適宜に廃棄することができる。
【００４３】
また、本実施例では、排気ファン８の稼働の制御と筒状体１３の磁気化の制御を連動させて制御しているが、これに限らず、排気ファンの制御と磁気化の制御を、個々に行ってもよい。
【００４４】
なお、上述の実施の形態は、実施の形態の要旨を逸脱しない範囲内において種々の変更
を加えることができる。
さらに、上述の実施の形態は、多数の変形、変更が当業者にとって可能であり、説明した正確な構成および応用例に限定されるものではない。
【産業上の利用可能性】
【００４５】
本発明は、鉄道の駅構内等に設置され列車の発着時刻や運行状況を表示する表示盤の筐体に配設される空冷機構に利用することができる。
【符号の説明】
【００４６】
１  表示盤
２  筐体
２−１  上面
２−２  底面
３  表示装置
４  前部開閉蓋
５（５ａ、５ｂ）  支持パイプ
５ａ−１、５ｂ−１  下端開口部
６  基板
７  電子部品
８  排気ファン
９  開口部
１１  下保持板
１２  上保持板
１３  筒状体
１４  コイルユニット
１５  フィルタ
１６  保持部吸気口
１７  保持部排気口
１８  枠
１９  仕切り板
２０  子ユニット
２１  子下保持板
２２  子上保持板
２３  コイル
２５  出力端子台
２６  電源線
２７  ＦＧ（filament ground）線
２８  ノイズフィルタ
２９  ヒューズ
３０  電源ユニット
３１  鉄粉
３１ａ  吸着鉄粉
３２  塵埃
３２ａ  吸着塵埃
３３  ブレーカ
【図４】
2014075559.tif 000003
【図１】
2014075559.tif 000004
【図２】
2014075559.tif 000005
【図３】
2014075559.tif 000006
【図５】
2014075559.tif 000007